(57)【要約】【課題】捕獲対象動物を捕える罠装置を提供する。【解決手段】  捕獲対象動物の肢を括るループ状の部分４５を形成可能なワイヤーロープ４１と、ワイヤーロープ４１に沿って伸縮するコイルバネ５１と、コイルバネ５１の伸長と連動してループ状の部分４５の径４５ｄを縮めるように動く第１のユニット１０と、コイルバネ５１を圧縮させた状態で第１のユニット１０を作動させないように第１のユニット１０に対して着脱可能に連結される第２のユニット２０と、ループ状の部分４５をセットする第３のユニット３０であって、ループ状の部分４５に捕獲対象動物が肢を踏み入れたときに第１のユニット１０を作動させる第３のユニット３０とを有する罠装置１００である。【選択図】図１
0003183576.tif 000002
【実用新案登録請求の範囲】
【請求項１】
捕獲対象動物の肢を括るループ状の部分を形成可能なロープ状部材と、
前記ロープ状部材に沿って伸縮する弾性部材と、
前記弾性部材の伸長と連動して前記ループ状の部分の径を縮めるように動く第１のユニットと、
前記弾性部材を圧縮させた状態で前記第１のユニットを作動させないように前記第１のユニットに対して着脱可能に連結される第２のユニットとを有する罠装置。
【請求項２】
請求項１において、さらに、
前記ループ状の部分をセットする第３のユニットであって、前記ループ状の部分に前記捕獲対象動物が肢を踏み入れたときに前記第１のユニットを作動させる第３のユニットを有する、罠装置。
【請求項３】
請求項２において、
前記第３のユニットは、四角筒状の第１のサブユニットと、
前記第１のサブユニットの内壁に沿って下降可能に配置される四角板状の第２のサブユニットと、
前記ループ状の部分を着脱可能に保持するコの字型の一組の第３のサブユニットであって、前記第２のサブユニットが前記捕獲対象動物の肢により踏まれたときに前記第１のユニットを作動させる一組の第３のサブユニットとを含み、
前記一組の第３のサブユニットのそれぞれは、前記第２のサブユニットの下降と連動して前記第１のサブユニットの対峙する一組の前記内壁のそれぞれに沿ってそれぞれ下降する一組の第１の部分と、
前記一組の第１の部分のそれぞれを繋ぐ第２の部分であって、前記第２のサブユニットが下降したときに前記第１のサブユニットの上端縁に当たり跳ね上がる第２の部分とを含む、罠装置。
【請求項４】
請求項１ないし３のいずれかにおいて、
前記第１のユニットは、前記弾性部材を圧縮させる第１の方向に延びた第１の溝部と、
前記第１の溝部に対して直角な第２の方向に延びた第２の溝部とを含み、
前記第２のユニットは、前記弾性部材を圧縮させるときに前記第１の溝部に沿って動き、前記第１のユニットに連結させるときに前記第２の溝部に沿って動く突起部を含む、罠装置。
【請求項５】
請求項４において、
前記弾性部材は、コイルバネを含み、
前記第１のユニットは、前記コイルバネを一端側から覆う有底円筒状の第１のケースを含み、前記第１の溝部および前記第２の溝部は前記第１のケースの側壁を貫通するように形成されており、
前記第２のユニットは、前記コイルバネを他端側から覆う有底円筒状の第２のケースを含み、前記突起部は前記第２のケースの外壁に対して突出するように設けられている、罠装置。
【考案の詳細な説明】
【技術分野】
【０００１】
本考案は、捕獲対象動物を捕える罠装置に関するものである。
【背景技術】
【０００２】
特許文献１には、確実な作動と安全な設置が可能な動物用罠装置を提供することが記載されている。そのため、特許文献１には、基台と、回動自在に前記基台上に固定された一対のＵ字状ワイヤ保持枠と、前記Ｕ字状ワイヤ保持枠内において一端が回動自在に前記基台上に固定されほぼ水平になるよう上向きに付勢された踏み板と、回動により前記一対のＵ字状ワイヤ保持枠を規制及び解放することのできるロック手段とからなることを特徴とする動物用罠装置が記載されている。
【先行技術文献】
【特許文献】
【０００３】
【特許文献１】実用新案登録第３１６５７１６号公報
【考案の概要】
【考案が解決しようとする課題】
【０００４】
鹿や猪などの捕獲対象動物を捕える罠装置が求められている。
【課題を解決するための手段】
【０００５】
本考案の態様の１つは、捕獲対象動物の肢を括るループ状の部分を形成可能なロープ状部材と、ロープ状部材に沿って伸縮する弾性部材と、弾性部材の伸長と連動してループ状の部分の径を縮めるように動く第１のユニットと、弾性部材を圧縮させた状態で第１のユニットを作動させないように第１のユニットに対して着脱可能に連結される第２のユニットとを有する罠装置である。
【０００６】
この罠装置においては、第１のユニットおよび第２のユニットを連結させた状態で、ループ状の部分を所定の位置にセットできる。このため、ループ状の部分をセットする際に第１のユニットが作動することを防止できる。したがって、ユーザーの意に反して第１のユニットが作動し、ループ状の部分の径が縮まることによりユーザーが怪我をすることも抑制できる。
【０００７】
この罠装置においては、さらに、ループ状の部分をセットする第３のユニットであって、ループ状の部分に捕獲対象動物が肢を踏み入れたときに第１のユニットを作動させる第３のユニットを有することが望ましい。第１のユニットおよび第２のユニットを連結させた状態でループ状の部分を第３のユニットにセットできる。
【０００８】
典型的には、第３のユニットは、四角筒状の第１のサブユニットと、第１のサブユニットの内壁に沿って下降可能に配置される四角板状の第２のサブユニットと、ループ状の部分を着脱可能に保持するコの字型の一組の第３のサブユニットであって、第２のサブユニットが捕獲対象動物の肢により踏まれたときに第１のユニットを作動させる一組の第３のサブユニットとを含み、一組の第３のサブユニットのそれぞれは、第２のサブユニットの下降と連動して第１のサブユニットの対峙する一組の内壁のそれぞれに沿ってそれぞれ下降する一組の第１の部分と、一組の第１の部分のそれぞれを繋ぐ第２の部分であって、第２のサブユニットが下降したときに第１のサブユニットの上端縁に当たり跳ね上がる第２の部分とを含むことが望ましい。
【０００９】
第１のユニットは、弾性部材を圧縮させる第１の方向に延びた第１の溝部と、第１の溝部に対して直角な第２の方向に延びた第２の溝部とを含み、第２のユニットは、弾性部材を圧縮させるときに第１の溝部に沿って動き、第１のユニットに連結させるときに第２の溝部に沿って動く突起部を含むことが望ましい。
【００１０】
弾性部材は、コイルバネを含み、第１のユニットは、コイルバネを一端側から覆う有底円筒状の第１のケースを含み、第１の溝部および第２の溝部は第１のケースの側壁を貫通するように形成されており、第２のユニットは、コイルバネを他端側から覆う有底円筒状の第２のケースを含み、突起部は第２のケースの外壁に対して突出するように設けられていることが望ましい。
【図面の簡単な説明】
【００１１】
【図１】罠装置の概要を示す図。
【図２】第１のユニットに対して第２のユニットを連結する様子を示す図。
【図３】第１のユニットに対して第２のユニットが連結された様子を示す図。
【図４】捕獲ユニットをトラップユニットにセットする様子を示す図。
【図５】第１のユニットおよび第２のユニットの連結を解除する様子を示す図。
【考案を実施するための形態】
【００１２】
図１に、本考案の実施形態に係る罠装置の概要を示している。この罠装置（括り罠）１００は、野生動物の肢（手足）を括る（縛る、締める）ことにより捕獲対象動物を捕える捕獲ユニット１と、捕獲対象動物が肢を踏み入れたときに捕獲ユニット１を作動可能にセットするトラップユニット２とを有する。
【００１３】
罠装置１００の捕獲ユニット１は、捕獲対象動物の肢を括るループ状（輪状）の部分４５を形成可能なワイヤーロープユニット４０と、ループ状の部分４５の径４５ｄを弾性部材５１の反発力（復元力）により縮小可能なスプリングユニット５０とを含む。
【００１４】
捕獲ユニット１のワイヤーロープユニット４０は、スプリングユニット５０を貫通するワイヤーロープ（ロープ状部材）４１と、ワイヤーロープ４１の一端４１ａに形成された第１のリング部分４６と、第１のリング部分４６にワイヤーロープ４１を通すことにより形成されたループ状の部分４５と、ループ状の部分４５の内周側に取り付けられたワイヤーロープ４１よりも摩擦抵抗の小さい滑り部材４５ａと、ワイヤーロープ４１の他端４１ｂに形成された第２のリング部分４７と、第２のリング部分４７に取り付けられたシャックル９３と、スプリングユニット５０の他端４１ｂの側にワイヤーロープ４１に沿って移動可能に取り付けられたストッパー（止め具）９１と、ストッパー９１の他端４１ｂの側に設けられたよじれ止め金具９２とを含む。このワイヤーロープユニット４０においては、シャックル９３を介してワイヤーロープ４１を近くの立木などに連結することができる。
【００１５】
捕獲ユニット１のスプリングユニット５０は、ワイヤーロープ４１に沿って伸縮するコイルバネ（弾性部材、圧縮ばね）５１と、コイルバネ５１の伸長と連動してループ状の部分４５の径４５ｄを縮めるように動く第１のユニット１０と、コイルバネ５１を圧縮させた状態で第１のユニット１０を作動させないように第１のユニット１０に対して着脱可能に連結された第２のユニット２０とを含む。
【００１６】
罠装置１００のトラップユニット２は、第１のユニット１０および第２のユニット２０が連結された状態でループ状の部分４５をセットする第３のユニット３０を含む。第３のユニット３０は、平面視四角筒状の第１のサブユニット（台座、本桶）６０と、台座６０の内壁面６２に沿って上下方向１１１に移動可能に配置された平面視四角板状の第２のサブユニット（踏み板、踏み台）７０と、ループ状の部分４５を着脱可能に保持する平面視コの字型の一組の第３のサブユニット（ワイヤーガード、枠部材）８０とを含む。それぞれのワイヤーガード８０は、踏み板７０の左右方向１１２の中央近傍の前後方向１１３に対峙する位置に連結金具８５を介して、踏み板７０に対して回転可能（開閉可能）に連結されている。さらに、それぞれのワイヤーガード８０は、ワイヤーロープ４１のループ状の部分４５を引っ掛けるワイヤー溝８０ａを含む。
【００１７】
スプリングユニット５０の第１のユニット１０は、コイルバネ５１の一端５１ａを支持し、コイルバネ５１を一端５１ａの側から覆う有底円筒状の第１のケース１１を含む。第２のユニット２０は、コイルバネ５１の他端５１ｂを支持し、コイルバネ５１を他端５１ｂの側から覆う有底円筒状の第２のケース２１を含む。すなわち、コイルバネ５１は、第１のユニット１０および第２のユニット２０が連結された状態において、第１のケース１１および第２のケース２１により圧縮された状態で収納されている。
【００１８】
第１のユニット１０の第１のケース１１は、コイルバネ５１の一端５１ａを支持する底壁１２と、コイルバネ５１の周囲を覆う円筒状の側壁１３とを含む。さらに、第１のケース（キャップ）１１は、ワイヤーロープ４１を通すために底壁１２のほぼ中央を貫通して形成された貫通孔１２ａと、第２のケース２１と連結するために側壁１３の対峙する位置に形成された一組のガイド溝１５とを含む。
【００１９】
第１のユニット１０の第２のケース２１は、コイルバネ５１の中間部分を収納する長尺状の筒部（パイプ）２１ａと、コイルバネ５１の他端５１ｂの側を収納する蓋部（キャップ）２１ｂとを含む。蓋部２１ｂは、コイルバネ５１の他端５１ｂを支持する底壁２２と、コイルバネ５１の周囲を覆う円筒状の側壁２３とを含む。筒部２１ａは、蓋部２１ｂの側壁２３に嵌め込まれた（差し込まれた）状態でコイルバネ５１の周囲を覆う円筒状の側壁２４を含む。さらに、第２のケース２１は、ワイヤーロープ４１を通すために底壁２２のほぼ中央を貫通して形成された貫通孔２２ａと、第１のケース１１と連結するために側壁２４の対峙する位置に設けられた一組の突起部２６とを含む。
【００２０】
この罠装置１００においては、ループ状の部分４５がワイヤー溝８０ａに沿ってワイヤーガード８０にセットされた状態で、ストッパー９１が第２のケース２１に近接させた位置に固定される。このため、捕獲対象動物の肢により踏み板７０が踏まれると、踏み板７０の下降と連動してワイヤーガード８０が連結金具８５の支点８５ａを中心として跳ね上がるように回転することにより、ループ状の部分４５がワイヤーガード８０から外れ、第１のユニット１０を作動させることができる。すなわち、この罠装置１００においては、ストッパー９１が第２のケース２１の他端４１ｂの側への移動を規制しているため、コイルバネ５１の反発力により第２のユニット２０がワイヤーロープ４１に沿って他端４１ｂの側に動くことはなく、第１のユニット１０をワイヤーロープ４１に沿って一端４１ａの側に動かすことができる。このため、第１のユニット１０がコイルバネ５１の伸長と連動して第１のリング部分４６を押すことにより、ループ状の部分４５の径４５ｄを縮めることができる。さらに、ループ状の部分４５には滑り部材４５ａが取り付けられているので、ループ状の部分４５の収縮する速度（括り速度）を向上できる。したがって、縮小されたループ状の部分４５が野生動物の肢を括ることにより捕獲対象動物を捕えることができる。
【００２１】
さらに、この罠装置１００においては、第１のユニット１０および第２のユニット２０が、一組のガイド溝１５および一組の突起部２６により着脱可能に連結されている。このため、ループ状の部分４５をワイヤーガード８０にセットする際にワイヤーガード８０が誤って回転し、第１のユニット１０が作動することを確実に防止できる。さらに、この罠装置１００においては、ループ状の部分４５をワイヤーガード８０にセットした後に第１のユニット１０および第２のユニット２０の連結を解除できる。このため、ユーザーの意に反して第１のユニット１０が作動し、ループ状の部分４５が縮まる（締まる）ことにより怪我をすることも防止できる。したがって、ループ状の部分４５の取り付け作業を効率よく安全に行うことが可能な罠装置１００を提供できる。
【００２２】
図２に、スプリングユニット５０の第１のユニット１０に対して第２のユニット２０を連結する様子を示している。図３に、スプリングユニット５０の第１のユニット１０に対して第２のユニット２０が連結された様子を示している。
【００２３】
このスプリングユニット５０においては、第１のケース１１の径が第２のケース２１の筒部２１ａの径よりも大きく設計されている。第１のケース１１は、側壁１３の対峙する位置に側壁１３を貫通するように形成された一組のガイド溝１５を含む。それぞれのガイド溝１５は、コイルバネ５１を圧縮（伸縮）させる第１の方向１２１に延びた第１の溝部１６と、第１の溝部１６に対して直角な第２の方向１２２に第１の溝部１６から直に延びた第２の溝部１７とを含む。第２のケース２１は、側壁２４の対峙する位置に外壁面２４ａに対して突出するように設けられた一組の突起部（セットスクリュー、止めねじ）２６とを含む。
【００２４】
このスプリングユニット５０においては、コイルバネ５１を圧縮させるときに、第１の溝部１６に沿って突起部２６が動くように第１のケース１１に対して第２のケース２１を第１の方向１２１に嵌め込んだ（差し込んだ）後、第２の溝部１７に沿って突起部２６が動くように第１のケース１１に対して第２のケース２１を第２の方向（時計回り、右回り）１２２に回転させる。これにより、コイルバネ５１の反発力に伴う第１のケース１１の一端４１ａの側への移動および第２のケース２１の他端４１ｂの側への移動を、第２の溝部１７および突起部２６により規制できる。したがって、第１のケース１１に対して第２のケース２１を着脱可能に連結（ロック）できる。なお、第２のケース２１に対して第１のケース１１を第１の方向１２１に嵌め込む（被せ込む）ようにしてもよく、第２のケース２１に対して第１のケース１１を第２の方向１２２に回転させてもよい。
【００２５】
なお、第１の溝部１６および第２の溝部１７は、第１のケース１１の側壁１３に対して非貫通となるように形成されていてもよい。たとえば、第１の溝部１６および第２の溝部１７が側壁１３の外壁面１３ａに対して凹状に形成されている場合、第２のケース２１の筒部２１ａの径を第１のケース１１の径よりも大きく設計し、突起部２６を第２のケース２１の側壁２４の内壁面２４ｂに対して突出するように設ければよい。また、突起部２６はボールプランジャーなどであってもよい。また、第２のケース２１が、コイルバネ５１を圧縮させる第１の方向１２１に延びた第１の溝部と、第１の溝部に対して直角な第２の方向１２２に延びた第２の溝部とを含み、第１のケース１１が、コイルバネ５１を圧縮させるときに第１の溝部に沿って動き、第２のケース２１に連結させるときに第２の溝部に沿って動く突起部を含むものであってもよい。
【００２６】
図４に、捕獲ユニット１をトラップユニット２にセットする様子を示している。図５に、第１のユニット１０および第２のユニット２０の連結を解除する様子を示している。トラップユニット２の第３のユニット３０は、上述のとおり、平面視四角筒状の台座６０と、台座６０の内壁面６２に沿って上下方向１１１に移動可能に配置された平面視四角板状の踏み板７０と、ループ状の部分４５を着脱可能に保持する平面視コの字型の一組のワイヤーガード８０とを含む。
【００２７】
台座６０は、前後方向１１３に対峙する前側壁６１ａおよび後側壁６１ｂと、左右方向１１２に対峙する左側壁６１ｃおよび右側壁６１ｄと、前側壁６１ａの上端縁６３ａの中央に上端縁６３ａを切り欠くように形成された切欠部６５とを含む。踏み板７０は、捕獲対象動物の肢により踏まれる表面（上面）７０ａと、側壁６１ａ〜６１ｄに対してほぼ隙間を開けることなく、側壁６１ａ〜６１ｄの内壁面６２ａ〜６２ｄに沿って下降可能にそれぞれ配置された前端縁７１ａ、後端縁７１ｂ、左端縁７１ｃおよび右端縁７１ｄとを含む。このため、捕獲対象動物を捕えるために踏み板７０の表面７０ａの隅々（四隅）まで利用することができる。
【００２８】
それぞれのワイヤーガード８０は、連結金具８５の支点８５ａから表面７０ａの前端縁７１ａおよび後端縁７１ｂのそれぞれに沿って延びる一組の第１の部分８１と、一組の第１の部分８１のそれぞれを繋ぐ第２の部分８２とを含む。それぞれの第１の部分８１は、踏み板７０の表面７０ａから前後方向１１３にはみ出さないように配置されており、踏み板７０の下降と連動して台座６０の対峙する内壁面６２ａおよび６２ｂのそれぞれに沿ってそれぞれ下降する。それぞれの第２の部分８２は、踏み板７０の表面７０ａから左右方向１１２に僅かにはみ出し、台座６０の左側壁６１ｃの上端縁６３ｃおよび右側壁６１ｄの上端縁６３ｄのそれぞれの上方１１１ａに位置するように配置されており、踏み板７０が下降したときにそれぞれの上端縁６３ｃおよび６３ｄに当たり跳ね上がる。この罠装置１００においては、ワイヤーガード８０の第２の部分８２が、台座６０の側壁６１ｃ（６１ｄ）から左右方向１１２にはみ出さないように上端縁６３ｃ（６３ｄ）の上方１１１ａに配置されている。このため、一組のワイヤーガード８０により囲まれる内側の領域８０ｂのほぼ全てを踏み板７０により占めることができる。したがって、捕獲対象動物がワイヤーガード８０にセットしたループ状の部分４５に肢を踏み入れたときに、踏み板７０が下降しない可能性を極めて少なくできる。このため、捕獲対象動物の捕獲率を向上させやすい。
【００２９】
この罠装置１００においては、まず、図４に示すように、第１のユニット１０および第２のユニット２０が一組のガイド溝１５および一組の突起部２６により連結された状態で、ワイヤーロープ４１をワイヤーガード８０に巻き掛けるように取り付けることにより、ワイヤーガード８０の外周に沿った四角形状のループ状の部分４５を形成する。この罠装置１００においては、第１のユニット１０および第２のユニット２０が連結された状態でループ状の部分４５を形成できるため、ワイヤーロープ４１をワイヤーガード８０の周囲に取り付けている途中で、ワイヤーガード８０が回転したりワイヤーロープ４１が外れたりしても第１のユニット１０が作動することを防止できる。このため、ワイヤーロープ４１の取り付け作業とコイルバネ５１の圧縮作業とを同時に行う必要がない。したがって、罠装置１００のセッティングに不慣れなユーザーや一般的に非力な女性のユーザーなどであっても、コイルバネ５１が圧縮された状態で連結された捕獲ユニット１を用いることにより、容易にかつ安全にトラップユニット２への取り付け作業を行うことができる。
【００３０】
次に、第１のユニット１０の第１のケース１１を台座６０の切欠部６５に配置し、ストッパー９１を第２のケース２１に接近させた状態でワイヤーロープ４１に沿って移動不能となるように固定する。これにより、第２のケース２１がワイヤーロープ４１に沿って他端４１ｂの側に移動することを規制できる。次に、図５に示すように、第２のケース２１を第１のケース１１に対して第２の方向（反時計回り、左回り）１２２に回転させることにより、突起部２６を第２の溝部１７から第１の溝部１６へ移動させる。これにより、第１のケース１１と第２のケース２１との連結を解除できる。この罠装置１００においては、ワイヤーロープ４１のワイヤーガード８０への取り付け作業と、第２のケース２１の移動を規制するストッパー９１の固定作業とが完了した後で、ユーザーの所望のタイミングで第２のケース２１に対する第１のケース１１の連結を解除できる。したがって、ユーザーの所望のタイミングで第１のケース１１を作動（発射）可能な状態にできる。このため、ユーザーの意に反して踏み板７０が下降して第１のケース１１が作動するような事態やそれに伴う事故を回避できる。したがって、ワイヤーロープ４１をワイヤーガード８０に取り付けた後に、ループ状の部分４５の緩みや位置ずれなどに対する微調整や踏み板７０の高さ調整などを安全に行うことが可能な罠装置１００を提供できる。
【００３１】
なお、本考案は上記の実施形態に限定されず、実用新案登録請求の範囲に規定されたものを含む。第１のケース１１および第２のケース２１は円筒状に限定されず、角筒状であってもよく、その場合、ボールプランジャーとそのボール部分が嵌まる凹部（孔部）とにより着脱可能に連結されていてもよい。また、第２のサブユニット７０は板状に限定されず、網状などであってもよい。
【符号の説明】
【００３２】
１０  第１のユニット、  ２０  第２のユニット、  ３０  第３のユニット
４１  ワイヤーロープ（ロープ状部材）、  ５１  コイルバネ（弾性部材）
１００  罠装置（括り罠）
【図１】
0003183576.tif 000003
【図２】
0003183576.tif 000004
【図３】
0003183576.tif 000005
【図４】
0003183576.tif 000006
【図５】
0003183576.tif 000007